(57)【要約】【課題】電子メール転送プロトコルの拡張フィールド信号を利用して、ファクシミリ通信を行うようにしたネットワークシステムの通信制御方法を提供することを目的としている。【解決手段】電子メール転送プロトコルを用いて、擬似的なファクシミリ伝送手順を行い、画情報を送信しているので、ファイアウォールの内側にネットワークファクシミリ装置が配置されている場合であっても、ネットワークファクシミリ装置は、擬似的なファクシミリ伝送手順を実行することができ、その結果、即時性が高く、着呼側の受信能力にあわせた画情報を送信することができるので、非常に便利であるという効果を得る。【選択図】          図２
2004274541.tif 000002
【特許請求の範囲】
【請求項１】
画像入力手段から読み込んだ画像データを、電子メール転送プロトコルを適用して、送信装置から受信装置へ送信するネットワークシステムの通信制御方法において、
送信装置と受信装置との間で、電子メール転送プロトコルの拡張フィールド信号を利用して、グループ３ファクシミリ伝送手順またはグループ４ファクシミリ伝送手順の開始を確認し、それ以降は、グループ３ファクシミリ伝送手順信号またはグループ４ファクシミリ伝送手順信号を、所定のグループ３ファクシミリ伝送手順または所定のグループ４ファクシミリ伝送手順に従ってやりとりすることで、送信装置より受信装置へ上記画像データをファクシミリ画情報として送信することを特徴とするネットワークシステムの通信制御方法。
【請求項２】
前記グループ３ファクシミリ伝送手順信号は、ＩＴＵ−Ｔ勧告Ｔ．３０に定められているグループ３ファクシミリ伝送手順において、当該手順信号の表記として定義されている文字列であることを特徴とする請求項１記載のネットワークシステムの通信制御方法。
【請求項３】
前記グループ４ファクシミリ伝送手順信号は、ＩＴＵ−Ｔ勧告Ｔ．６２に定められているグループ４ファクシミリ伝送手順において、当該手順信号の表記として定義されている文字列であることを特徴とする請求項１記載のネットワークシステムの通信制御方法。
【請求項４】
前記グループ３ファクシミリ伝送手順信号の信号ＳＩＤを用いて、送信装置から受信装置への転送指示を受け付けるか否かを判定するようにしたことを特徴とする請求項２記載のネットワークシステムの通信制御方法。
【請求項５】
前記グループ３ファクシミリ伝送手順信号の信号ＳＵＢを用いて、送信装置から受信装置へ、転送宛先を指示するようにしたことを特徴とする請求項４記載のネットワークシステムの通信制御方法。
【請求項６】
前記グループ３ファクシミリ伝送手順信号の信号ＩＲＡを用いて、送信装置から受信装置へ、転送宛先を指示するようにしたことを特徴とする請求項４記載のネットワークシステムの通信制御方法。
【発明の詳細な説明】
【０００１】
【発明の属する技術分野】
本発明は、画像入力手段から読み込んだ画像データを、電子メール転送プロトコルを適用して、送信装置から受信装置へ送信するネットワークシステムの通信制御方法に関する。
【０００２】
【従来の技術】
インターネットの普及により、通信を行う際、網として、従来のような公衆回線（ＰＳＴＮやデジタル公衆回線網ＩＳＤＮ）だけを用いるのでなく、インターネットを用いる通信も広まりつつある。これはインターネットを用いることによる料金削減のメリットを活かそうとするものである。インターネットに接続可能な端末機器も増え、ファクシミリなどの画像の送受信を行う機器にもあてはまる。ＩＴＵ−Ｔ勧告Ｔ．３７や勧告Ｔ．３８などのインターネットファクスの標準規格も存在し、対応製品も増加している（特許文献１参照）。
【０００３】
勧告Ｔ．３７のインターネットファクスは、勧告Ｔ．３８のインターネットファクス（リアルタイム型インターネットファクス）に比べて、パーソナルコンピュータ装置との親和性が高いというメリットがある一方、即時性などに問題があった。
【０００４】
【特許文献１】
特開２００２−０２７１９３号公報
【０００５】
【発明が解決しようとする課題】
さて、通常のファクシミリ通信では、何ページ送ったか、何ページまで送れて、送れなかったページはいくつあるのかなどを、送信側ユーザが確認できることも重要な要素である。特に、通信エラーが生じた場合、送信完了できたページ数を知ることは、同一文書を再送希望する場合に非常に重要なものである。
【０００６】
しかしながら、通常の電子メールの通信プロトコルでは、ページの概念がないため、送信側ユーザは、送信完了したページ数などを確認できないと言う事態を生じる。
【０００７】
本発明は、かかる実情に鑑みてなされたものであり、電子メール転送プロトコルの拡張フィールド信号を利用して、ファクシミリ通信を行うようにしたネットワークシステムの通信制御方法を提供することを目的としている。
【０００８】
【課題を解決するための手段】
本発明は、画像入力手段から読み込んだ画像データを、電子メール転送プロトコルを適用して、送信装置から受信装置へ送信するネットワークシステムの通信制御方法において、送信装置と受信装置との間で、電子メール転送プロトコルの拡張フィールド信号を利用して、グループ３ファクシミリ伝送手順またはグループ４ファクシミリ伝送手順の開始を確認し、それ以降は、グループ３ファクシミリ伝送手順信号またはグループ４ファクシミリ伝送手順信号を、所定のグループ３ファクシミリ伝送手順または所定のグループ４ファクシミリ伝送手順に従ってやりとりすることで、送信装置より受信装置へ上記画像データをファクシミリ画情報として送信するようにしたものである。
【０００９】
また、前記グループ３ファクシミリ伝送手順信号は、ＩＴＵ−Ｔ勧告Ｔ．３０に定められているグループ３ファクシミリ伝送手順において、当該手順信号の表記として定義されている文字列である。
【００１０】
また、前記グループ４ファクシミリ伝送手順信号は、ＩＴＵ−Ｔ勧告Ｔ．６２に定められているグループ４ファクシミリ伝送手順において、当該手順信号の表記として定義されている文字列である。
【００１１】
また、前記グループ３ファクシミリ伝送手順信号の信号ＳＩＤを用いて、送信装置から受信装置への転送指示を受け付けるか否かを判定するようにしたものである。
【００１２】
また、前記グループ３ファクシミリ伝送手順信号の信号ＳＵＢを用いて、送信装置から受信装置へ、転送宛先を指示するようにしたものである。
【００１３】
また、前記グループ３ファクシミリ伝送手順信号の信号ＩＲＡを用いて、送信装置から受信装置へ、転送宛先を指示するようにしたものである。
【００１４】
【発明の実施の形態】
以下、添付図面を参照しながら、本発明の実施の形態を詳細に説明する。
【００１５】
図１は、本発明の一実施例にかかるネットワークシステムを示している。
【００１６】
同図において、このネットワークシステムは、インターネットＩＮＥＴを介して連絡されるネットワークＮＴａとネットワークＮＴｂから構成されている。
【００１７】
また、ネットワークＮＴａは、ローカルエリアネットワークＬＡＮａを介して接続される複数のワークステーション装置ＷＡ１〜ＷＡｎ、ネットワークファクシミリ装置ＦＸａ、および、ルータ装置ＲＴａからなる。
【００１８】
また、ルータ装置ＲＴａは、ローカルエリアネットワークＬＡＮａに接続されている各端末装置をインターネットＩＮＥＴへ接続するためのものである。これにより、ワークステーション装置ＷＡ１〜ＷＡｎおよびネットワークファクシミリ装置ＦＸａは、インターネットＩＮＥＴを介して、他の端末装置と適宜に通信することができる。
【００１９】
また、ネットワークＮＴｂは、ローカルエリアネットワークＬＡＮｂを介して接続される複数のワークステーション装置ＷＢ１〜ＷＢｎ、ネットワークファクシミリ装置ＦＸｂ、および、ルータ装置ＲＴｂからなる。
【００２０】
また、ルータ装置ＲＴｂは、ローカルエリアネットワークＬＡＮｂに接続されている各端末装置をインターネットＩＮＥＴへ接続するためのものである。これにより、ワークステーション装置ＷＢ１〜ＷＢｎおよびネットワークファクシミリ装置ＦＸｂは、インターネットＩＮＥＴを介して、他の端末装置と適宜に通信することができる。
【００２１】
また、ワークステーション装置ＷＡ１〜ＷＡｎ，ＷＢ１〜ＷＢｎには、ローカルエリアネットワークＬＡＮａ，ＬＡＮｂを介して種々のデータのやりとりを行うための種々のソフトウェアなどの種々のプログラムが導入されており、特定のユーザにより使用されるものである。ここで、特定のユーザは、一人または複数人のユーザであってよい。
【００２２】
また、ネットワークファクシミリ装置ＦＸａ，ＦＸｂは、スキャナ（後述）を用いて読み取って得た画情報や各種レポートなどを電子メール転送プロトコル（後述）を用いて送受信するための電子メール処理機能、および、アナログ公衆回線網ＰＳＴＮに接続し、この公衆網を伝送路として用いてグループ３ファクシミリ伝送手順による画情報通信を行うファクシミリ通信機能を備えている。
【００２３】
図２は、ネットワークファクシミリ装置ＦＸ（ＦＸａ，ＦＸｂ）の構成例を示している。このネットワークファクシミリ装置ＦＸは、装置機能としては、グループ３ファクシミリ装置機能およびグループ４ファクシミリ装置機能の両方を備えている。
【００２４】
同図において、システム制御部１は、このネットワークファクシミリ装置ＦＸの各部の制御処理、および、ファクシミリ伝送制御手順処理などの各種制御処理を行うものであり、システムメモリ２は、システム制御部１が実行する制御処理プログラム、および、処理プログラムを実行するときに必要な各種データなどを記憶するとともに、システム制御部１のワークエリアを構成するものであり、パラメータメモリ３は、このネットワークファクシミリ装置ＦＸに固有な各種の情報を記憶するためのものであり、時計回路４は、現在時刻情報を出力するものである。
【００２５】
スキャナ５は、所定の解像度で原稿画像を読み取るためのものであり、プロッタ６は、所定の解像度で画像を記録出力するためのものであり、操作表示部７は、このネットワークファクシミリ装置ＦＸを操作するためのもので、各種の操作キー、および、各種の表示器からなる。
【００２６】
符号化復号化部８は、所定の符号化方式（ＭＨ，ＭＲ，ＭＭＲ，ＪＢＩＧ等）で画信号を符号化圧縮するとともに、符号化圧縮されている画情報を元の画信号に復号化するためのものであり、画像蓄積装置９は、符号化圧縮された状態の画情報を多数記憶するためのものである。
【００２７】
グループ３ファクシミリモデム１０は、グループ３ファクシミリのモデム機能を実現するためのものであり、伝送手順信号をやりとりするための低速モデム機能（Ｖ．２１モデム）、および、おもに画情報をやりとりするための高速モデム機能（Ｖ．１７モデム、Ｖ．３４モデム、Ｖ．２９モデム、Ｖ．２７ｔｅｒモデムなど）を備えている。
【００２８】
網制御装置１１は、このネットワークファクシミリ装置ＦＸをアナログ公衆回線網ＰＳＴＮに接続するためのものであり、自動発着信機能を備えている。
【００２９】
ローカルエリアネットワークインターフェース回路１２は、このネットワークファクシミリ装置ＦＸをローカルエリアネットワークＬＡＮに接続するためのものであり、ローカルエリアネットワーク伝送制御部１３は、ローカルエリアネットワークＬＡＮを介して、他のデータ端末装置との間で種々のデータをやりとりするための各種所定のプロトコルスイートの通信制御処理を実行するためのものである。
【００３０】
これらの、システム制御部１、システムメモリ２、パラメータメモリ３、時計回路４、スキャナ５、プロッタ６、操作表示部７、符号化復号化部８、画像蓄積装置９、グループ３ファクシミリモデム１０、網制御装置１１、および、ローカルエリアネットワーク伝送制御部１３は、内部バス１４に接続されており、これらの各要素間でのデータのやりとりは、主としてこの内部バス１４を介して行われている。
【００３１】
また、網制御装置１１とグループ３ファクシミリモデム１０との間のデータのやりとりは、直接行なわれている。
【００３２】
ここで、本実施例において、基本的には、ローカルエリアネットワークＬＡＮに接続されている端末相互間でのデータのやりとりは、いわゆるＴＣＰ／ＩＰと呼ばれるトランスポートレイヤまでの伝送プロトコルと、それ以上の上位レイヤの通信プロトコルとの組み合わせ（いわゆるプロトコルスイート）が適用して行われる。例えば、電子メールのデータのやりとりでは上位レイヤの通信プロトコルとしてＳＭＴＰ（Ｓｉｍｐｌｅ  Ｍａｉｌ  Ｔｒａｎｓｆｅｒ  Ｐｒｏｔｏｃｏｌ）またはＥＳＭＴＰ（ＳＭＴＰ  Ｓｅｒｖｉｃｅ  Ｅｘｔｅｎｓｉｏｎｓ；ＲＦＣ１４２５、ＲＦＣ２８２１等参照）という通信プロトコル（電子メール転送プロトコル）が適用される。
【００３３】
また、ＴＣＰ／ＩＰ，ＳＭＴＰ，ＥＳＭＴＰ，ＰＯＰなどの通信プロトコル、および、電子メールのデータ形式やデータ構造などについては、それぞれＩＥＴＦから発行されているＲＦＣ文書により規定されている。例えば、ＴＣＰはＲＦＣ７９３、ＩＰはＲＦＣ７９３、ＳＭＴＰ，ＥＳＭＴＰはＲＦＣ１４２５，ＲＦＣ２８２１、電子メールの形式は、ＲＦＣ２８２２，ＲＦＣ１５２１，ＲＦＣ１５２２（ＭＩＭＥ（Ｍｕｌｔｉ  Ｐｕｒｐｏｓｅ  Ｍａｉｌ  Ｅｘｔｅｎｓｉｏｎ）形式）などでそれぞれ規定されている。
【００３４】
さて、本実施例では、ネットワークファクシミリ装置ＦＸａとネットワークファクシミリ装置ＦＸｂとの間の通信は、電子メール転送プロトコルの拡張フィールド信号を利用して実現されるグループ３ファクシミリ伝送手順、あるいは、グループ４ファクシミリ伝送手順により行われる。
【００３５】
ここで、ＩＴＵ−Ｔ勧告Ｔ．３０に規定されているグループ３ファクシミリ伝送手順について、図３を参照して説明する。この場合、送信ページ数が２ページの場合である。
【００３６】
同図において、まず、発呼側は、着呼側へ発呼し、それにより、着呼側が着信応答すると、発呼側は、所定のトーン信号である信号ＣＮＧを着呼側へ送出する。この信号ＣＮＧを受信すると、着呼側は、所定のトーン信号である信号ＣＥＤ（被呼局識別信号）を発呼側へ応答するとともに、自端末の機能を通知するための信号ＤＩＳ（ディジタル識別信号）を発呼側へ送出する。このとき、着呼側は、信号ＣＳＩ（被呼端末識別）を送出して、自端末の識別情報を発呼側へ通知することができる。
【００３７】
発呼側は、信号ＤＩＳ（および信号ＣＳＩ）を受信すると、着呼側の受信能力を調べて、送信画情報のサイズ、線密度、符号化方式、および、使用するモデム速度等を決定し、その決定した内容を通知するための信号ＤＣＳ（ディジタル命令信号）を着呼側へ送出する。このとき、発呼側は、信号ＴＳＩ（送信端末識別）を送出して、自端末の識別情報を着呼側へ通知することができる。また、発呼側は、信号ＳＩＤ（送信機識別）を送出して、認証のためのパスワードを着呼側へ通知することができる。また、発呼側は、信号ＳＵＢ（サブアドレス）を送出して、転送先等を指示することができる。また、発呼側は、信号ＩＲＡ（インターネットルーティングアドレス）を送出して（図示略）、インターネット上の転送先アドレスを指定することもできる。この信号ＳＩＤ，ＳＵＢ，ＴＳＩ，ＩＲＡの送出は、オプションである。
【００３８】
次いで、発呼側は、信号ＤＣＳで通知したモデム速度でモデムトレーニングを行うために、信号ＴＣＦ（トレーニングチェック）を着呼側へ送出する。着呼側は、信号ＴＣＦを受信すると、受信エラーが発生しているかどうかを調べ、発生していない場合には、信号ＣＦＲ（受信準備確認）を発呼側へ通知する。
【００３９】
それにより、発呼側は、信号ＤＣＳで通知した用紙サイズおよび線密度の１ページ目の画像データを、信号ＤＣＳで指定した符号化方式で符号化圧縮して得た１ページ目の画情報ＰＩＸ１を着呼側へ送信する。１ページ分の画情報の送信を終了すると、この場合には、後続ページが存在するので、メッセージ後信号として信号ＭＰＳ（マルチページ信号）を着呼側へ送出する。なお、画像データの作成は、その時点でスキャナ５を起動して１ページ目の原稿画像を読取入力したり、あるいは、あらかじめ蓄積した１ページ目の蓄積画情報を、通知した用紙サイズおよび線密度に変換し、送信用の画像データを作成することで行うことができる。画情報の作成については、以下同じ。
【００４０】
着呼側は、１ページ目の画情報ＰＩＸ１を受信すると、受信エラーの検出を行い、メッセージ後信号を受信すると、そのときに受信した１ページ分の画情報ＰＩＸ１に受信エラーがない場合には、信号ＭＣＦ（メッセージ確認）を発呼側へ応答する。
【００４１】
それにより、発呼側は、２ページ目の画情報ＰＩＸ２を送信する。この画情報ＰＩＸ２は、画情報ＰＩＸ１と同一のサイズ、線密度、および、符号化方式のものである。この場合、画情報ＰＩＸ２の送信を終了すると、この場合には、後続ページが存在しないので、メッセージ後信号として信号ＥＯＰ（手順終了）を着呼側へ送出する。
【００４２】
着呼側は、２ページ目の画情報ＰＩＸ２を受信すると、受信エラーの検出を行い、メッセージ後信号を受信すると、そのときに受信した１ページ分の画情報ＰＩＸ２に受信エラーがない場合には、信号ＭＣＦを発呼側へ応答する。
【００４３】
これにより、発呼側は、信号ＤＣＮ（切断命令）を着呼側へ送出し、回線を復旧する。また、着呼側は、信号ＤＣＮを受信すると、回線を復旧する。
【００４４】
次に、ＩＴＵ−Ｔ勧告Ｔ．６２等に規定されているグループ４ファクシミリ伝送手順について、図４を参照して説明する。なお、この場合、発端末と着端末は、デジタル公衆回線網ＩＳＤＮに接続されていて、このデジタル公衆回線網ＩＳＤＮを伝送路として用いている。
【００４５】
まず、発端末は、目的の着端末を宛先に指定した呼設定メッセージＳＥＴＵＰをデジタル公衆回線網ＩＳＤＮに送出して着端末との呼設定を要求し、これにより、デジタル公衆回線網ＩＳＤＮは、呼設定状況を通知するための呼設定受付メッセージＣＡＬＬ＿ＰＲＯＣを発端末に送出するとともに、指定された着端末に呼設定メッセージＳＥＴＵＰを送出して発呼する。
【００４６】
着端末は、着信応答すると応答メッセージＣＯＮＮをデジタル公衆回線網ＩＳＤＮに送出し、それにより、デジタル公衆回線網ＩＳＤＮは、着端末に応答確認メッセージＣＯＮＮ＿ＡＣＫを送出して着端末の応答を確認し、その時点で、発端末と着端末の間にデータ伝送のためのＢチャネルが確立し、これにより、発端末および着端末は、Ｂチャネル上の伝送手順を開始する。
【００４７】
まず、発端末は、コマンドＳＡＢＭを送出してリンクレイヤの設定を要求し、着端末はレスポンスＵＡを応答し、これにより、リンクレイヤが設定される。
【００４８】
次いで、発端末は、ネットワークレイヤをエンド・ツ・エンドで張るために、信号ＳＱを送出し、着端末は、それを受け付けるために信号ＳＦを送出し、次いで、発端末は、発呼要求のために信号ＣＲを送出し、着端末は、信号ＣＡを応答して呼を受け付け、それにより、ネットワークレイヤが設定される。
【００４９】
次いで、発端末は、トランスポートレイヤを設定するために、信号ＴＣＲを送出し、着端末は、それを受け付けるために信号ＴＣＡを送出し、それによって、トランスポートレイヤが設定される。
【００５０】
そして、発端末は、セッションレイヤのコネクションを設定するために、セッション開始コマンドＣＳＳを送出し、着端末は、セッション開始肯定レスポンスＲＳＳＰを応答して、それにより、セッションレイヤが開始される。
【００５１】
次に、発端末は、使用する伝送機能のネゴシエーションするためにドキュメント機能リストコマンドＣＤＣＬを送出し、また、着端末は、ドキュメント機能リスト肯定レスポンスＲＤＣＬＰを送出し、それによって、受信能力の調整が行われる。
【００５２】
このようにして、画情報送信の準備が整うと、発端末は、送信する文書を区別するためのドキュメント参照番号など送信する文書情報を管理するための種々の情報を備えたドキュメント開始コマンドＣＤＳに続いて、複数のドキュメントユーザ情報コマンドＣＤＵＩを用いて１文書分の画情報を送信し、その送信を終了すると、ドキュメント終了コマンドＣＤＥを送出して、１文書の画情報の終了を通知する。
【００５３】
着端末は、ドキュメント終了コマンドＣＤＥを受信すると、このときの文書の受信が正常終了したことをあらわすドキュメント終了肯定レスポンスＲＤＥＰを送出する。
【００５４】
また、１文書中に複数のページが含まれる場合には、最終ページを除き、各ページの画情報の送信を終了した時点で、発端末は、１ページ終了をあらわすドキュメントページ境界コマンドＣＤＰＢを送出し、着端末は、このときの１ページ分の画情報の正常受信したことをあらわすドキュメントページ境界肯定レスポンスＲＤＰＢＰを送出する。
【００５５】
このようにして、１文書分の画情報伝送を終了すると、発端末は、セッション終了コマンドＣＳＥを送出し、着端末はセッション終了肯定レスポンスＲＳＥＰを送出して、セッションレイヤのコネクションを解放する。
【００５６】
次いで、発端末は、ネットワークレイヤの信号ＣＱを送出し、それに対して着端末は、信号ＣＦを送出し、それによって、ネットワークレイヤが解放され、さらに、発端末は、リンクレイヤのコマンドＤＩＳＣを送出し、着端末は、レスポンスＵＡを送出し、それによって、リンクレイヤが解放される。
【００５７】
このようにして、Ｂチャネル上のリンク（呼）が解放されると、発端末は、切断メッセージＤＩＳＣをデジタル公衆回線網ＩＳＤＮに送出してＢチャネルの解放を要求し、デジタル公衆回線網ＩＳＤＮは、解放メッセージＲＥＬを発端末に送出してＢチャネルの復旧を通知する。一方、デジタル公衆回線網ＩＳＤＮは、着端末に切断メッセージＤＩＳＣを送出してＢチャネルの解放を要求し、着端末は、解放メッセージＲＥＬをデジタル公衆回線網ＩＳＤＮに送出してＢチャネルの復旧を通知する。
【００５８】
これにより、発端末は、チャネル切断完了を通知する解放完了メッセージＲＥＬ＿ＣＯＭＰをデジタル公衆回線網ＩＳＤＮに応答し、それにより、発端末とデジタル公衆回線網ＩＳＤＮとの間のＢチャネルが解放される。それとともに、デジタル公衆回線網ＩＳＤＮは、解放完了メッセージＲＥＬ＿ＣＯＭＰを着端末に送出し、それによって、デジタル公衆回線網ＩＳＤＮと着端末との間のＢチャネルが解放される。その結果、発端末と着端末との間に設定されていたＢチャネルが完全に解放される。
【００５９】
このようにして、発端末と着端末との間にＢチャネルが設定されて、データ伝送が行われ、データ伝送が終了すると、Ｂチャネルが解放される。
【００６０】
さて、本実施例では、ＳＭＴＰ／ＥＳＭＴＰプロトコルの拡張フィールド信号を利用して、（擬似的な）グループ３ファクシミリ伝送手順あるいは（擬似的）グループ４ファクシミリ伝送手順の開始を確認した後に、グループ３ファクシミリ伝送手順信号あるいはグループ４ファクシミリ伝送手順信号をやりとりすることで、ＳＭＴＰ／ＥＳＭＴＰプロトコルを利用して、擬似的なグループ３ファクシミリ伝送手順あるいは擬似的グループ４ファクシミリ伝送手順を実行し、ファクシミリ通信を行えるようにしている。
【００６１】
ただし、グループ３ファクシミリ伝送手順信号は、本来、所定のフレーム形式を持つバイナリデータであるが、本実施例では、それぞれの信号を定義している表記文字列そのものを信号として取り扱う。例えば、信号ＤＩＳは、文字列「ＤＩＳ」がその実体として取り扱われる。これは、ＳＭＴＰプロトコルでは、基本的には、画面に表示可能な文字コード体系である１文字７ビットのＡＳＣＩＩキャラクタをやりとりする旨が規定されているからである。
【００６２】
また、それとともに、各信号が情報値を持つ場合、それぞれの情報値は、いわゆるＨＥＸ（１６進数）変換した文字列に置き換えて、サブフィールド値として運ぶようにする。ここで、ＨＥＸ変換とは、バイナリデータ列を４桁ずつ区切り、その値を「０〜９，Ａ〜Ｆ」の英数字で表したものである。例えば、「１００１１１００」というバイナリデータは、ＨＥＸ変換されると文字列「９Ｃ」とあらわされる。ただし、ＥＳＭＴＰプロトコルを適用する場合には、ＥＳＭＴＰプロトコル上、１文字８ビットデータを取り扱うことができるので、直接情報値を記述することもできる。
【００６３】
また、画情報は、比較的データサイズの大きなバイナリデータである。例えば、数１０〜数１００キロバイトのデータサイズを有する。このような画情報を送信する際、上述したＨＥＸ変換を適用することもできるし、ＭＩＭＥ変換することもできる。例えば、ＩＴＵ−Ｔ勧告Ｔ．３７では、電子メールで画情報を運ぶ際、画情報データをＭＩＭＥ変換する旨が規定されている。
【００６４】
また、ＳＭＴＰ／ＥＳＭＴＰプロトコルの拡張フィールド信号は、「２５０−Ｘ−」で始まる任意の文字列で記述される。
【００６５】
図５は、ネットワークファクシミリ装置ＦＸａとネットワークファクシミリ装置ＦＸｂが、電子メール転送プロトコルを用いて、擬似的なグループ３ファクシミリ伝送手順を行って、３ページ分の画情報を送信する際の手順の一例を示している。
【００６６】
なお、この記載中、受信側が送信側へ応答する信号のうち、最初の３桁の数字（２２０，２５０，３４５等）が必須の情報要素であり、それに続く英数文字列は、送信側ユーザへのコメントや付加的に通知する情報等をあらわしており、括弧書きでその内容の説明を加えている。
【００６７】
発呼側の端末（例えば、ネットワークファクシミリ装置ＦＸａ）は、宛先である着呼側の端末（例えば、ネットワークファクシミリ装置ＦＸｂ）へ、ＳＭＴＰプロトコルで使用するポート番号である「２５」を指定して、ポートオープンを要求し、接続要求する。
【００６８】
それにより、着呼側は、信号「２２０（＝サービスレディ）  ａｂｃ−ｘｙｚ．ｃｏ．ｊｐ（＝ホスト名）」を発呼側へ応答する。
【００６９】
次に、発呼側は、ＥＳＭＴＰの開始コマンドであるコマンド「ＥＨＬＯ  ｈｏｓｔ−ａ．ｍｎｏ−ｓｔｕ．ｃｏ．ｊｐ（＝ホスト名）」を着呼側へ送信する。これにより、着呼側は、信号「２５０  ｈｏｓｔ−ａ．ｍｎｏ−ｓｔｕ．ｃｏ．ｊｐ  Ｈｅｌｌｏ，  ｐｌｅａｓｅｄ  ｔｏ  ｍｅｅｔ  ｙｏｕ．（＝グリーティングメッセージ）」、拡張フィールド信号「２５０−ＤＳＮ」、擬似的なグループ３ファクシミリ伝送手順を実行可能な旨をあらわす拡張フィールド信号「２５０−Ｘ−Ｇ３−ＦＡＸ」、擬似的なグループ４ファクシミリ伝送手順を実行可能な旨をあらわす拡張フィールド信号「２５０−Ｘ−Ｇ４−ＦＡＸ」、および、信号「２５０  ＨＥＬＰ」を発呼側へ応答する。
【００７０】
これにより、発呼側は、着呼側が、擬似的なグループ３ファクシミリ伝送手順および擬似的なグループ４ファクシミリ伝送手順を実行可能である旨を認識し、この場合には、擬似的なグループ３ファクシミリ伝送手順を開始する。
【００７１】
すなわち、この場合には、発呼側は、擬似的なグループ３ファクシミリ伝送手順の実行を開始する旨を通知するための信号「Ｘ−Ｇ３−ＦＡＸ  Ｓｔａｒｔ」、および、信号「ＣＮＧ」を、着呼側へ送信する。
【００７２】
それにより、着呼側では、擬似的なグループ３ファクシミリ伝送手順を開始する旨を認識し、最初の応答信号である信号「ＣＥＤ」、および、信号「ＣＳＩ」、「ＤＩＳ」を発呼側へ送信する。ここで、信号「ＣＳＩ」と信号「ＤＩＳ」には、情報値が含まれるので、それぞれ「（ＣＳＩ  ｄａｔａ）」および「（ＤＩＳ  ｄａｔａ）」として、信号「ＣＳＩ」と信号「ＤＩＳ」のサブフィールド値（「ＣＳＩ：  （ＣＳＩ  ｄａｔａ）」の「：  」に続く部分。他の信号のサブフィールド値についても同じ）に、それぞれセットされる。
【００７３】
発呼側は、信号「ＣＳＩ」、信号「ＤＩＳ」を受信すると、着呼側の受信能力を調べて、送信画情報のサイズ、線密度、符号化方式、および、使用するモデム速度等を決定する。そして、自端末の識別情報を通知するための信号「ＴＳＩ」、および、決定した内容を通知するための信号「ＤＣＳ」を着呼側へ送出する。なお、この場合、通信にモデムを使用しないため、決定するモデム速度は任意の速度に固定できる。また、信号「ＴＳＩ」と信号「ＤＣＳ」には、情報値が含まれるので、それぞれ「（ＴＳＩ  ｄａｔａ）」および「（ＤＣＳ  ｄａｔａ）」として、信号「ＴＳＩ」と信号「ＴＩＳ」のサブフィールド値に、おのおのセットされる。
【００７４】
次いで、発呼側は、擬似的なグループ３ファクシミリ伝送手順に従って、モデムトレーニングのための信号「ＴＣＦ」を着呼側へ送出する。着呼側は、信号「ＴＣＦ」を受信すると、無条件に信号「ＣＦＲ」を発呼側へ送信する。
【００７５】
それにより、発呼側は、決定した用紙サイズおよび線密度の１ページ目の画像データを、指定した符号化方式で符号化圧縮して得た１ページ目の画情報データを着呼側へ送信する。１ページ分の画情報の送信を終了すると、この場合には、後続ページが存在するので、メッセージ後信号として信号「ＭＰＳ」を着呼側へ送出する。
【００７６】
着呼側は、１ページ目の画情報データに続いて、信号「ＭＰＳ」を受信すると、信号「ＭＣＦ」を発呼側へ応答する。
【００７７】
それにより、発呼側は、２ページ目の画情報データを送信する。この２ページ目の画情報データは、１ページ目の画情報データと同一のサイズ、線密度、および、符号化方式のものである。１ページ分の画情報の送信を終了すると、この場合には、後続ページが存在するので、メッセージ後信号として信号「ＭＰＳ」を着呼側へ送出する。
【００７８】
着呼側は、２ページ目の画情報データに続いて、信号「ＭＰＳ」を受信すると、信号「ＭＣＦ」を発呼側へ応答する。
【００７９】
それにより、発呼側は、３ページ目の画情報データを送信する。この３ページ目の画情報データは、２ページ目の画情報データと同一のサイズ、線密度、および、符号化方式のものである。この場合には、後続ページが存在しないので、メッセージ後信号として信号「ＥＯＰ」を着呼側へ送出する。
【００８０】
着呼側は、３ページ目の画情報ＰＩＸ２に続いて、信号「ＥＯＰ」を受信すると、信号ＭＣＦを発呼側へ応答する。
【００８１】
これにより、発呼側は、信号「ＤＣＮ」を着呼側へ送出し、ポート２５をクローズする。また、着呼側は、信号「ＤＣＮ」を受信すると、ポート２５をクローズ復旧する。
【００８２】
このようにして、電子メール転送プロトコルを用いて、擬似的なグループ３ファクシミリ伝送手順を行い、画情報を送信しているので、ファイアウォールの内側にネットワークファクシミリ装置ＦＸが配置されている場合であっても、ネットワークファクシミリ装置は、擬似的なグループ３ファクシミリ伝送手順を実行することができ、その結果、即時性が高く、着呼側の受信能力にあわせた画情報を送信することができるので、非常に便利である。
【００８３】
図６は、ネットワークファクシミリ装置ＦＸａとネットワークファクシミリ装置ＦＸｂが、電子メール転送プロトコルを用いて、擬似的なグループ４ファクシミリ伝送手順を行って、３ページ分の画情報を送信する際の手順の一例を示している。また、この場合の擬似的なグループ４ファクシミリ伝送手順は、図４に示した伝送手順のうち、セッションレイヤ以上の上位レイヤについて行われる。なんとなれば、電子メール転送プロトコルが下位レイヤとして利用するＴＣＰ／ＩＰにより、トランスポートレイヤまでの通信プロトコルが実現されているからである。
【００８４】
なお、この記載中、受信側が送信側へ応答する信号のうち、最初の３桁の数字（２２０，２５０，３４５等）が必須の情報要素であり、それに続く英数文字列は、送信側ユーザへのコメントや付加的に通知する情報等をあらわしており、括弧書きでその内容の説明を加えている。
【００８５】
発呼側の端末（例えば、ネットワークファクシミリ装置ＦＸａ）は、宛先である着呼側の端末（例えば、ネットワークファクシミリ装置ＦＸｂ）へ、ＳＭＴＰプロトコルで使用するポート番号である「２５」を指定して、ポートオープンを要求し、接続要求する。
【００８６】
それにより、着呼側は、信号「２２０（＝サービスレディ）  ａｂｃ−ｘｙｚ．ｃｏ．ｊｐ（＝ホスト名）」を発呼側へ応答する。
【００８７】
次に、発呼側は、ＥＳＭＴＰの開始コマンドであるコマンド「ＥＨＬＯ  ｈｏｓｔ−ａ．ｍｎｏ−ｓｔｕ．ｃｏ．ｊｐ（＝ホスト名）」を着呼側へ送信する。これにより、着呼側は、信号「２５０  ｈｏｓｔ−ａ．ｍｎｏ−ｓｔｕ．ｃｏ．ｊｐ  Ｈｅｌｌｏ，  ｐｌｅａｓｅｄ  ｔｏ  ｍｅｅｔ  ｙｏｕ．（＝グリーティングメッセージ）」、拡張フィールド信号「２５０−ＤＳＮ」、擬似的なグループ３ファクシミリ伝送手順を実行可能な旨をあらわす拡張フィールド信号「２５０−Ｘ−Ｇ３−ＦＡＸ」、擬似的なグループ４ファクシミリ伝送手順を実行可能な旨をあらわす拡張フィールド信号「２５０−Ｘ−Ｇ４−ＦＡＸ」、および、信号「２５０  ＨＥＬＰ」を発呼側へ応答する。
【００８８】
これにより、発呼側は、着呼側が、擬似的なグループ３ファクシミリ伝送手順および擬似的なグループ４ファクシミリ伝送手順を実行可能である旨を認識し、この場合には、擬似的なグループ４ファクシミリ伝送手順を開始する。
【００８９】
すなわち、この場合には、発呼側は、擬似的なグループ４ファクシミリ伝送手順の実行を開始する旨を通知するための信号「Ｘ−Ｇ４−ＦＡＸ  Ｓｔａｒｔ」、および、信号「ＣＳＳ」を、着呼側へ送信する。着呼側は、信号「ＲＳＳＰ」を応答し、それにより、擬似的なグループ４ファクシミリ伝送手順が開始される。
【００９０】
次に、発呼側は、使用する伝送機能のネゴシエーションするために信号「ＣＤＣＬ」を送出し、また、着呼側は、信号「ＲＤＣＬＰ」を送出し、それによって、受信能力の調整が行われる。ここで、信号「ＣＤＣＬ」と信号「ＲＤＣＬＰ」には、情報値が含まれるので、それぞれ「（ＣＤＣＬ  ｄａｔａ）」および「（ＲＤＣＬＰ  ｄａｔａ）」として、信号「ＣＤＣＬ」と信号「ＲＤＣＬＰ」のサブフィールド値に、それぞれセットされる。
【００９１】
このようにして、画情報送信の準備が整うと、発呼側は、信号「ＣＤＳ」に続いて、信号「ＣＤＵＩ」を送信し、次に、１ページ目の画情報データを送信する。１ページ目の画情報データの送信を終了すると、続いて、信号「ＣＤＰＢ」を着呼側へ送信する。
【００９２】
着呼側は、信号「ＣＤＵＩ」に続いて１ページ目の画情報データを受信し、信号「ＣＤＰＢ」を受信すると、信号「ＲＤＰＢＰ」を発呼側へ送信する。
【００９３】
それにより、発呼側は、信号「ＣＤＵＩ」を送信し、続いて、２ページ目の画情報データを送信する。２ページ目の画情報データの送信を終了すると、続いて、信号「ＣＤＰＢ」を着呼側へ送信する。
【００９４】
着呼側は、信号「ＣＤＵＩ」に続いて２ページ目の画情報データを受信し、信号「ＣＤＰＢ」を受信すると、信号「ＲＤＰＢＰ」を発呼側へ送信する。
【００９５】
発呼側は、信号「ＣＤＵＩ」を送信し、続いて、３ページ目の画情報データを送信する。１ページ目の画情報データの送信を終了すると、信号「ＣＤＥ」を送出して、１文書の画情報の終了を通知する。
【００９６】
着呼側は、信号「ＣＤＥ」を受信すると、このときの文書の受信が正常終了したことをあらわす信号「ＲＤＥＰ」を送出する。
【００９７】
このようにして、１文書分の画情報伝送を終了すると、発呼側は、信号「ＣＳＥ」を送出し、着呼側は信号「ＲＳＥＰ」を送出する。続いて、発端末側および着端末側は、それぞれポート２５をクローズして、一連の通信動作を終了する。
【００９８】
このようにして、電子メール転送プロトコルを用いて、擬似的なグループ４ファクシミリ伝送手順を行い、画情報を送信しているので、ファイアウォールの内側にネットワークファクシミリ装置ＦＸが配置されている場合であっても、ネットワークファクシミリ装置は、擬似的なグループ４ファクシミリ伝送手順を実行することができ、その結果、即時性が高く、着呼側の受信能力にあわせた画情報を送信することができるので、非常に便利である。
【００９９】
また、ネットワークファクシミリ装置ＦＸａが、ネットワークファクシミリ装置ＦＸｂに対して、画情報の転送を依頼する場合には、例えば、図７に示すように、図５に示した擬似的なグループ３ファクシミリ伝送手順を行うとともに、発呼側は、信号「ＴＳＩ」および信号「ＤＣＳ」を送信する際に、信号「ＳＩＤ」で転送依頼のためのパスワードを送信し、信号「ＳＵＢ」で転送宛先のファクシミリ番号を通知する。このとき、パスワードは、信号「ＴＳＩ」のサブフィールド値としてセットされ、ファクシミリ番号は、信号「ＳＵＢ」のサブフィールド値としてセットされる。
【０１００】
このようにして、信号「ＳＩＤ」および信号「ＳＵＢ」を受信すると、着呼側は、まず、信号「ＳＩＤ」のサブフィールド値にセットされているパスワードの値を調べて、それが登録値と一致している場合には、図７に示すように、それ以降の擬似的なグループ３ファクシミリ伝送手順を継続して、転送する画情報を受信して保存する。
【０１０１】
そして、信号「ＳＵＢ」のサブフィールド値にセットされているファクシミリ番号へ発呼して、保存している転送画情報を、その転送宛先へ送信する。
【０１０２】
一方、着呼側が、信号「ＳＩＤ」のサブフィールド値にセットされているパスワードの値を調べた際に、登録値と不一致であった場合には、図８に示すように、信号「ＦＴＴ」を発呼側へ送信する。
【０１０３】
それにより、発呼側では、信号「ＤＣＮ」を送信して、ポート２５をクローズする。また、信号「ＤＣＮ」を受信した着呼側は、ポート２５をクローズする。
【０１０４】
このようにして、信号「ＳＩＤ」で運ばれるパスワードの値を検査することで、着呼側で転送動作を許すかどうかを規定しているので、不正な転送動作要求等を排除することができる。
【０１０５】
また、転送動作を行うことができるので、例えば、送信側（発呼側）が日本にあり受信側（着呼側）が外国にある場合や、送信側がファイアウォールの内部にあり受信側がファイアウォールの外部にある場合などでも、適切に画情報を送信することができ、非常に便利である。
【０１０６】
また、信号「ＩＲＡ」を用いることで、任意のＵＲＬ（Ｕｎｉｆｏｒｍ  Ｒｅｓｏｕｒｃｅ  Ｌｏｃａｔｏｒ）を、転送宛先として指定することができる。
【０１０７】
例えば、図９に示すように、図５に示した擬似的なグループ３ファクシミリ伝送手順を行うとともに、発呼側は、信号「ＴＳＩ」および信号「ＤＣＳ」を送信する際に、信号「ＳＩＤ」で転送依頼のためのパスワードを送信し、信号「ＩＲＡ」で転送宛先のＵＲＬを通知する。このとき、パスワードは、信号「ＴＳＩ」のサブフィールド値としてセットされ、ＵＲＬは、信号「ＳＵＢ」のサブフィールド値としてセットされる。また、ＵＲＬとしては、電子メールを用いて転送する旨を要求する場合には、「ｍａｉｌｔｏ：  （メールアドレス）」を適用することができ、また、ＦＴＰ（Ｆｉｌｅ  Ｔｒａｎｓｆｅｒ  Ｐｒｏｔｏｃｏｌ）通信を用いて画情報を転送する旨を要求する場合には、「ｆｔｐ：  （アドレス）」を適用することができ、また、ＨＴＴＰ（ＨｙｐｅｒＴｅｘｔ  Ｔｒａｎｓｆｅｒ  Ｐｒｏｔｏｃｏｌ）通信を用いて画情報を転送する旨を要求する場合には、「ｈｔｔｐ：  （アドレス）」を適用することができる。
【０１０８】
このようにして、信号「ＳＩＤ」および信号「ＳＵＢ」を受信すると、着呼側は、まず、信号「ＳＩＤ」のサブフィールド値にセットされているパスワードの値を調べて、それが登録値と一致している場合には、図９に示すように、それ以降の擬似的なグループ３ファクシミリ伝送手順を継続して、転送する画情報を受信して保存する。
【０１０９】
そして、信号「ＩＲＡ」のサブフィールド値にセットされている情報に基づいた通信動作を行って、保存している転送画情報を、その転送宛先へ送信する。
【０１１０】
一方、着呼側が、信号「ＳＩＤ」のサブフィールド値にセットされているパスワードの値を調べた際に、登録値と不一致であった場合には、図１０に示すように、信号「ＦＴＴ」を発呼側へ送信する。
【０１１１】
それにより、発呼側では、信号「ＤＣＮ」を送信して、ポート２５をクローズする。また、信号「ＤＣＮ」を受信した着呼側は、ポート２５をクローズする。
【０１１２】
このようにして、信号「ＳＩＤ」で運ばれるパスワードの値を検査することで、着呼側で転送動作を許すかどうかを規定しているので、不正な転送動作要求等を排除することができる。
【０１１３】
また、任意のプロトコルを用いた転送動作を行うことができるので、例えば、送信側（発呼側）が日本にあり受信側（着呼側）が外国にある場合や、送信側がファイアウォールの内部にあり受信側がファイアウォールの外部にある場合などでも、適切に、かつ、自由な通信方法で画情報を送信することができ、非常に便利である。
【０１１４】
図１１は、発呼側が擬似的グループ３ファクシミリ伝送手順を用いてファクシミリ通信を行う場合の処理の一例を示している。
【０１１５】
まず、着呼側に対して、ＴＣＰポート２５をオープンし、接続要求する（処理１０１）。次いで、着呼側より２２０応答信号を受信すると（処理１０２）、ＥＨＬＯを送信する（処理１０３）。
【０１１６】
そして、着呼側から、２５０応答を受信するかどうかを調べ（判断１０４）、判断１０４の結果がＹＥＳになるときには、受信した２５０応答に、拡張フィールド信号「２５０−Ｘ−Ｇ３ＦＡＸ」が含まれるかどうかを調べる（判断１０５）。
【０１１７】
判断１０５の結果がＹＥＳになるときには、信号「Ｘ−Ｇ３−ＦＡＸ  Ｓｔａｒｔ」、および、信号「ＣＮＧ」を、着呼側へ送信し（処理１０６）、それ以降は、上述した送信時の擬似的グループ３ファクシミリ伝送手順を実行して画情報を送信し（処理１０７）、ＴＣＰポート２５をクローズして（処理１０８）、一連の動作を終了する。
【０１１８】
また、判断１０５の結果がＮＯになるときには、自端末に、擬似的なグループ３ファクシミリ伝送手順による通信から電子メール送信への変更を許可する設定がされているかどうかを調べ（判断１０９）、判断１０９の結果がＹＥＳになるときには、ＳＭＴＰプロトコルのコマンドである「ＭＡＩＬ  ＴＯ」を送信し（処理１１０）、それ以降は、通常のＳＭＴＰ通信手順を行い、電子メールを用いて画情報を送信する（処理１１１）。そして、処理１０８へ移行し、ＴＣＰポート２５をクローズして、一連の動作を終了する。
【０１１９】
また、判断１０９の結果がＮＯになるときには、送信動作を行わない。したがって、その時点で処理１０８へ移行し、ＴＣＰポート２５をクローズして、一連の動作を終了する。
【０１２０】
また、判断１０４の結果がＮＯになるときには、自端末に、擬似的なグループ３ファクシミリ伝送手順による通信から電子メール送信への変更を許可する設定がされているかどうかを調べ（判断１１２）、判断１１２の結果がＹＥＳになるときには、ＳＭＴＰプロトコルの開始コマンドである「ＨＥＬＯ」を送信し（処理１１３）、着呼側より２５０応答を受信し（処理１１４）、処理１１０へ移行し、通常のＳＭＴＰ通信手順を行い、電子メールを用いて画情報を送信し、ＴＣＰポート２５をクローズして、一連の動作を終了する。
【０１２１】
図１２は、ＴＣＰポート２５がオープンされて接続要求を検出した場合のネットワークファクシミリ装置ＦＸの処理の一例を示す。
【０１２２】
接続要求を検出すると（判断２０１の結果がＹＥＳ）、信号２２０を応答し（処理２０２）、相手端末よりコマンド「ＥＨＬＯ」を受信するかどうかを調べる（判断２０３）。
【０１２３】
判断２０３の結果がＹＥＳになるときには、上述したように、拡張フィールド信号を含めた２５０応答を送信し（処理２０４）、相手端末より信号「Ｘ−Ｇ３−ＦＡＸ  Ｓｔａｒｔ」を受信するかどうかを調べる（判断２０５）。
【０１２４】
判断２０５の結果がＹＥＳになるときには、信号「ＣＥＤ」、「ＣＳＩ」、「ＤＩＳ」を送信し（処理２０６）、相手端末より命令信号を受信する（処理２０７）。
【０１２５】
ここで、自端末に信号「ＳＩＤ」によるサービス制限制御が設定されているかどうかを調べ（判断２０８）、判断２０８の結果がＹＥＳになるときには、信号「ＳＩＤ」を受信しているかどうかを調べる（判断２０９）。
【０１２６】
判断２０９の結果がＹＥＳになるときには、受信した信号「ＳＩＤ」のサブフィールド値の内容が、自端末に登録されている登録値に一致するかどうかを調べ（判断２１０）、判断２１０の結果がＹＥＳになるときには、上述した受信時の擬似的グループ３ファクシミリ伝送手順を実行して画情報を受信し（処理２１１）、ＴＣＰポート２５をクローズして（処理２１２）、一連の動作を終了する。また、このとき、転送が指定されている場合には、その指定された転送動作を行う。
【０１２７】
また、判断２１０の結果がＮＯになる場合、および、判断２０９の結果がＮＯになる場合には、そのときの通信動作を打ち切るので、まず、信号「ＦＴＴ」を送信し（処理２１３）、次いで、信号「ＤＣＮ」を受信し（処理２１４）、処理２１２へ移行し、ＴＣＰポート２５をクローズして、一連の動作を終了する。
【０１２８】
また、判断２０５の結果がＮＯになるときには、相手端末よりコマンド「ＭＡＩＬ  ＦＲＯＭ」を受信しているかどうかを調べ（判断２１５）、判断２１５の結果がＹＥＳになるときには、通常のＳＭＴＰ通信手順を行い（処理２１６）、その処理２１６を終了すると、処理２１２へ移行し、ＴＣＰポート２５をクローズして、一連の動作を終了する。
【０１２９】
また、判断２１５の結果がＮＯになるときには、その時点で、通信動作を打ち切る。すなわち、この場合には、処理２１２へ移行し、ＴＣＰポート２５をクローズして、一連の動作を終了する。
【０１３０】
また、判断２０３の結果がＮＯになるときには、コマンド「ＨＥＬＯ」を受信しているかどうかを調べ（判断２１７）、判断２１７の結果がＹＥＳになるときには、２５０応答を送信し（処理２１８）、処理２１６へ移行し、通常のＳＭＴＰ通信手順を行い、その通信手順が終了すると、ＴＣＰポート２５をクローズして、一連の動作を終了する。
【０１３１】
また、判断２１７の結果がＮＯになるときには、その時点で、通信動作を打ち切る。すなわち、この場合には、処理２１２へ移行し、ＴＣＰポート２５をクローズして、一連の動作を終了する。
【０１３２】
【発明の効果】
以上説明したように、本発明によれば、電子メール転送プロトコルを用いて、擬似的なファクシミリ伝送手順を行い、画情報を送信しているので、ファイアウォールの内側にネットワークファクシミリ装置が配置されている場合であっても、ネットワークファクシミリ装置は、擬似的なファクシミリ伝送手順を実行することができ、その結果、即時性が高く、着呼側の受信能力にあわせた画情報を送信することができるので、非常に便利であるという効果を得る。
【０１３３】
また、信号「ＳＩＤ」で運ばれるパスワードの値を検査することで、着呼側で着信動作または転送動作を許すかどうかを規定しているので、不正な着信動作および転送動作要求等を排除することができるという効果も得る。
【０１３４】
また、転送動作を行うことができるので、例えば、送信側（発呼側）が日本にあり受信側（着呼側）が外国にある場合や、送信側がファイアウォールの内部にあり受信側がファイアウォールの外部にある場合などでも、適切に画情報を送信することができ、非常に便利であるという効果も得る。
【０１３５】
また、転送動作の際に、使用するプロトコルを指定することができるので、転送動作の自由度が向上するという効果も得る。
【図面の簡単な説明】
【図１】本発明の一実施例にかかるネットワークシステムを示したブロック図。
【図２】ネットワークファクシミリ装置ＦＸ（ＦＸａ，ＦＸｂ）の構成例を示したブロック図。
【図３】ＩＴＵ−Ｔ勧告Ｔ．３０に規定されているグループ３ファクシミリ伝送手順の一例を示したタイムチャート。
【図４】ＩＴＵ−Ｔ勧告Ｔ．６２等に規定されているグループ４ファクシミリ伝送手順の一例を示したタイムチャート。
【図５】ネットワークファクシミリ装置ＦＸａとネットワークファクシミリ装置ＦＸｂが、電子メール転送プロトコルを用いて、擬似的なグループ３ファクシミリ伝送手順を行って、３ページ分の画情報を送信する際の手順の一例を示したタイムチャート。
【図６】ネットワークファクシミリ装置ＦＸａとネットワークファクシミリ装置ＦＸｂが、電子メール転送プロトコルを用いて、擬似的なグループ４ファクシミリ伝送手順を行って、３ページ分の画情報を送信する際の手順の一例を示したタイムチャート。
【図７】画情報の転送を依頼する場合（成功）の一例を説明するためのタイムチャート。
【図８】画情報の転送を依頼する場合（失敗）の一例を説明するためのタイムチャート。
【図９】画情報の転送を依頼する場合（成功）の他の例を説明するためのタイムチャート。
【図１０】画情報の転送を依頼する場合（失敗）の他の例を説明するためのタイムチャート。
【図１１】発呼側が擬似的グループ３ファクシミリ伝送手順を用いてファクシミリ通信を行う場合の処理の一例を示したフローチャート。
【図１２】ＴＣＰポート２５がオープンされて接続要求を検出した場合のネットワークファクシミリ装置ＦＸの処理の一例を示したフローチャート。
【符号の説明】
ＦＸ，ＦＸａ，ＦＸｂ  ネットワークファクシミリ装置
【図１】
2004274541.tif 000003
【図２】
2004274541.tif 000004
【図３】
2004274541.tif 000005
【図４】
2004274541.tif 000006
【図５】
2004274541.tif 000007
【図６】
2004274541.tif 000008
【図７】
2004274541.tif 000009
【図８】
2004274541.tif 000010
【図９】
2004274541.tif 000011
【図１０】
2004274541.tif 000012
【図１１】
2004274541.tif 000013
【図１２】
2004274541.tif 000014